(57)【要約】【課題】ネットワーク上で障害が発生した場合、コストを掛けずに保守作業者が迅速かつ容易に状況診断および適切な処置を行うことを可能にする光パケットネットワークシステムを提供すること。【解決手段】経路切替器を介して接続された端末装置間で光パケットを送受するように構成された光パケットネットワークシステムにおいて、前記各端末装置にテストパケットの送受信部を設け、一方の端末装置をマスターとして他方の端末装置をスレーブとし、前記スレーブ側は前記マスター側から送信されるテストパケットを検出することによりそのテストパケットに対応した折返しパケットを生成してマスター側に送信し、マスター側はスレーブ側に送信した前記テストパケットとスレーブ側から送信された前記折返しパケットを照合して通信機能の点検を行うことを特徴とするもの。【選択図】    図１
2009296188.tif 000002
【特許請求の範囲】
【請求項１】
経路切替器を介して接続された端末装置間で光パケットを送受するように構成された光パケットネットワークシステムにおいて、
前記各端末装置にテストパケットの送受信部を設け、
一方の端末装置をマスターとして他方の端末装置をスレーブとし、
前記スレーブ側は前記マスター側から送信されるテストパケットを検出することによりそのテストパケットに対応した折返しパケットを生成してマスター側に送信し、マスター側はスレーブ側に送信した前記テストパケットとスレーブ側から送信された前記折返しパケットを照合して通信機能の点検を行うことを特徴とする光パケットネットワークシステム。
【請求項２】
前記マスター側は外部からのテスト命令を受信することによりテスト識別信号を含むテストデータを生成格納すると共に前記スレーブ側に送信し、
前記スレーブ側は受信した光パケットから、前記テスト識別信号を検出・解析し、受信したデータがテストパケットである場合、リターンテストデータを加工すると共にこのデータを前記マスター側に送信し、
前記マスター側は、受信した光パケットデータより前記テスト識別信号を検出・解析して、前記リターンテストデータであることを確認すると、このリターンテストデータと前記格納したテストデータとを照合し測定データに誤りがないかを検査することを特徴とする請求項１記載の光パケットネットワークシステム。
【請求項３】
前記照合したデータは、外部より要求があった場合に出力することを特徴とする請求項２記載の光パケットネットワークシステム。
【請求項４】
外部から送信されるデータ、テストデータと非テストデータあるいは複数の非テストデータを前記マスター側から複数の前記スレーブ側へ送信し、前記テストデータと前記非テストデータあるいは複数の前記非テストデータを複数の前記スレーブ側から前記マスター側へ送信することを特徴とする請求項１〜３いずれかに記載の光パケットネットワークシステム。
【発明の詳細な説明】
【技術分野】
【０００１】
本発明は、光パケットネットワークシステムに関し、詳しくは、光パケットネットワークシステムを構成する端末装置間における通信機能の保守点検に関するものである。
【背景技術】
【０００２】
図３は、従来の光パケットネットワークシステムを構成する端末装置間における通信機能を保守点検するための点検システムの一例を示す構成図である。この点検システムは、大きく分けると、光パケットネットワークシステムよりなる被測定システム１０、被測定システム１０を測定対象とする測定システム２０で構成されている。
【０００３】
被測定システム１０は、それぞれが測定システム２０から入力される試験データ信号を受信する複数の端末装置１１ａ〜１１ｎと、これら各端末装置１１ａ〜１１ｎで受信したデータ信号を次段に送信するために結合する分配／結合器１２と、分配／結合器１２で結合されたデータ信号を受信して測定システム２０に送信する上位装置１３とで構成されている。なお、上位装置１３は、光信号を電気信号に変換するＯ／Ｅ変換器１３ａと制御回路１３ｂとで構成されている。
【０００４】
測定システム２０は、被測定システム１０の各端末装置１１ａ〜１１ｎに試験データ信号を出力するデータ発生部２１と、被測定システム１０の上位装置１３から出力される送信データを受信格納するメモリ２２と、データ発生部２１から被測定システム１０の各端末装置１１ａ〜１１ｎに送信出力したデータと被測定システム１０から測定システム２０に送信されメモリ２２に受信格納されたデータを照合するデータ照合部２３と、測定システム２０の各部を制御する制御回路２４とで構成されている。
【０００５】
このように構成される点検システムは、測定システム２０から被測定システム１０に送信された試験データ信号と被測定システム１０から測定システム２０に返送されたデータ信号をデータ照合部２３で照合し、データビットの誤りの有無に基づき被測定システム１０を構成する各端末装置１１ａ〜１１ｎの通信機能について点検診断を行う。
【０００６】
特許文献１は、測定システムと被測定システムとが別々に設置され、測定システムより被測定システムに試験信号を送信し、被測定システムから測定システムに返送される信号と測定システムから被測定システムに送信される試験信号を照合し、誤りがないかを確認するビット誤り測定装置に関するものである。
【０００７】
【特許文献１】特開平１０−１７８４９０号公報
【発明の開示】
【発明が解決しようとする課題】
【０００８】
しかし、図３のような従来の点検システムは、被測定システムにおけるビット誤りを検出するための測定システムを被測定システムの外部に設けているので、配線コストなどが発生するという問題がある。
また、測定システムと被測定システムとが別々に設けられているため、被測定システムに対する保守が必要になった場合、保守作業者は被測定システムが設置されている場所に出向いて診断および修理を行わなければならないという問題がある。
【０００９】
本発明は、上記のような問題点を解決するものであり、光パケットネットワークシステムで障害が発生した場合、保守作業者が迅速かつ容易に状況診断および適切な処置を行うことができる光パケットネットワークシステムを提供することを目的とする。
【課題を解決するための手段】
【００１０】
上記のような目的を達成するために、本発明の請求項１では、
経路切替器を介して接続された端末装置間で光パケットを送受するように構成された光パケットネットワークシステムにおいて、
前記各端末装置にテストパケットの送受信部を設け、
一方の端末装置をマスターとして他方の端末装置をスレーブとし、
前記スレーブ側は前記マスター側から送信されるテストパケットを検出することによりそのテストパケットに対応した折返しパケットを生成してマスター側に送信し、マスター側はスレーブ側に送信した前記テストパケットとスレーブ側から送信された前記折返しパケットを照合して通信機能の点検を行うことを特徴とする。
【００１１】
請求項２では、請求項１記載の光パケットネットワークシステムにおいて、
前記マスター側は外部からのテスト命令を受信することによりテスト識別信号を含むテストデータを生成格納すると共に前記スレーブ側に送信し、
前記スレーブ側は受信した光パケットから、前記テスト識別信号を検出・解析し、受信したデータがテストパケットである場合、リターンテストデータを加工すると共にこのデータを前記マスター側に送信し、
前記マスター側は、受信した光パケットデータより前記テスト識別信号を検出・解析して、前記リターンテストデータであることを確認すると、このリターンテストデータと前記格納したテストデータとを照合し測定データに誤りがないかを検査することを特徴とする。
【００１２】
請求項３では、請求項２記載の光パケットネットワークシステムにおいて、
前記照合したデータは、外部より要求があった場合に出力することを特徴とする。
【００１３】
請求項４では、請求項１〜３いずれかに記載の光パケットネットワークシステムにおいて、
外部から送信されるデータ、テストデータと非テストデータあるいは複数の非テストデータを前記マスター側から複数の前記スレーブ側へ送信し、前記テストデータと前記非テストデータあるいは複数の前記非テストデータを複数の前記スレーブ側から前記マスター側へ送信することを特徴とする。
【発明の効果】
【００１４】
このようなシステム構成とすることにより、光パケットネットワークシステムで障害が発生した場合、保守作業者は従来のようなビット誤り測定装置などを用いることなく、迅速かつ容易に状況診断および適切な処置を行うことができる。
【発明を実施するための最良の形態】
【００１５】
以下、図面を用いて、本発明の光パケットネットワークシステムを説明する。図１は、本発明の一実施例を示す構成図である。
【実施例１】
【００１６】
図１において、光パケットネットワークシステムは、マスター側の端末装置３０と、複数のスレーブ側の端末装置４０ａ〜ｎと、これら端末装置３０と４０ａ〜ｎを相互接続するための経路切替器５０と、システムの光信号系統を接続する光ファイバ６０とから構成されている。
なお、経路切替器５０は、たとえばルーター／ブリッジを使うことができる。
【００１７】
端末装置（マスター側）３０は、データ送信部３１と、データ受信部３２と、信号変換器３３と、制御回路３４と、メモリ３５と、テストデータ照合部３６とから構成されている。データ送信部３１はテストデータ発生部３１ａで構成され、データ受信部３２はパケット受信器３２ａと、テストデータ検出部３２ｂとから構成されている。
【００１８】
なお、信号変換器３３は、電気信号から光信号に変換するＥ／Ｏ変換器と、光信号から電気信号に変換するＯ／Ｅ変換器とで構成されている。
【００１９】
端末装置（スレーブ側）４０ａ〜ｎは、信号変換器４１と、折返しデータ挿入部４２と、制御回路４３と、テストデータ検出部４４と、折返しデータ発生部４５と、メモリ４６と、パケットデータを受信するためのパケット受信器４７とから構成されている。
【００２０】
なお、信号変換器４１は、光信号から電気信号に変換するＯ／Ｅ変換器と、電気信号から光信号に変換するＥ／Ｏ変換器とで構成されている。
【００２１】
図１の動作について説明する。
保守作業者は、試験開始にあたり、端末装置（マスター側）３０の制御回路３４に対して端末装置（スレーブ側）４０ａに対するテスト命令をＰＣなどより与える。テスト命令を受信した制御回路３４は、データ送信部３１のテストデータ発生部３１ａにテストパケットデータＴＰＤを送出させる。
【００２２】
テストデータ発生部３１ａは、端末装置（スレーブ側）４０ａに対してテストパケットデータＴＰＤを送信すると同時に、送信したテストパケットデータＴＰＤをメモリ３５に格納する。
【００２３】
テストデータ発生部３１ａから端末装置（スレーブ側）４０ａに対して送信されるテストパケットデータＴＰＤは、信号変換器３３で電気から光に変換され、光に変換されたデータが光ファイバ６０，経路切替器５０を介して伝送されて端末装置（スレーブ側）４０ａに受信される。
【００２４】
端末装置（スレーブ側）４０ａの信号変換器４１で端末装置（マスター側）から受信したテストパケットデータＴＰＤが光から電気に変換され、さらにパケット受信器４７によって受信したパケットデータは、テストデータ検出部４４に送られる。
【００２５】
受信したパケットがテストパケットデータＴＰＤの場合、テストデータ検出部４４は、制御回路４３に通知する。通知を受けた制御回路４３は、折返しデータ発生部４５に対して折返しパケットデータＲＰＤを送出する命令を出す。
【００２６】
折返しパケットデータＲＰＤを送出する命令を受取った折返しデータ発生部４５は、テストパケットデータＴＰＤを格納しているメモリ４６から折返しパケットデータＲＰＤを生成し、折返しデータ挿入部４２に折返しパケットデータＲＰＤを送る。折返しパケットデータＲＰＤを受取った折返しデータ挿入部４２は、端末装置（マスター側）３０に送信するデータに折返しパケットデータＲＰＤを挿入し、信号変換器４１，光ファイバ６０および経路切替器５０を介して端末装置（マスター側）３０に送信する。
【００２７】
端末装置（マスター側）３０の信号変換器３３で光から電気に変換され、さらにパケット受信器３２ａによって受信したパケットデータは、データ受信部３２に送られる。受信したパケットが折返しパケットデータＲＰＤの場合、テストデータ検出部３２ｂで検出される。
【００２８】
テストデータ検出部３２ｂは制御回路３４に通知し、折返しパケットデータＲＰＤをテストデータ照合部３６に送信する。テストデータ照合部３６は、事前にメモリ３５に格納してあったテストパケットデータＴＰＤと折返しパケットデータＲＰＤの照合を行う。テストデータ照合部３６は、照合結果を制御回路３４に通知する。保守作業者は、外部から照合結果を要求する場合、制御回路３４から照合結果を受取る。保守作業者は、照合結果を基にその後の保守を行う。
【００２９】
このように端末装置（マスター側）３０と端末装置（スレーブ側）４０ａにテストパケットの送受信部を設けることにより、システム立上げ時や障害発生時に現場で対応することができ、迅速かつ容易に状況を診断することや適切な処置を施すことができる。
【００３０】
図２は、本発明のパケットデータの一例を示す図である。
【００３１】
外部からＰＣなどにより端末装置（スレーブ側）４０ａに対するテスト命令を受信した端末装置（マスター側）３０は、先頭から送信先アドレス、送信元アドレス、データの順でパケットデータを生成してメモリに格納するとともに、端末装置（スレーブ側）４０ａに対して送信する。たとえば、パケットデータ、送信先アドレスを端末装置４０ａのアドレス、送信元アドレスを端末装置３０のアドレス、データ部をテスト識別信号と、テストデータｎとする。テスト識別信号とは、このデータがテストする信号かしない信号かを表す信号のことである。テストデータとは、テスト用のデータのことである。
また、テスト識別信号がテストする信号を示さない場合、通常のデータを送信する。
【００３２】
パケットデータを受信した端末装置（スレーブ側）４０ａ〜ｎは、データ部のテスト識別信号を解析し、受信したパケットデータがテストパケットであるか否かを確認する。テストパケットであった場合、端末装置（スレーブ側）４０ａ〜ｎはテストパケットについて、送信先アドレスと送信元アドレスとのアドレスの入替をし、折返しパケットデータＲＰＤとして先頭から送信先アドレス、送信元アドレス、データ部の順で、端末装置（マスター側）３０に対して送信する。
【００３３】
たとえば、パケットデータの送信先アドレスを端末装置４０ａのアドレス、送信元アドレスを端末装置３０のアドレス、データ部をテスト識別信号とテストデータｎとした場合、折返しパケットデータＲＰＤは、送信先アドレスを端末装置３０のアドレス、送信元アドレスを端末装置４０ａのアドレス、データ部がテスト識別信号とテストデータｎとなる。
【００３４】
折返しパケットデータＲＰＤを受信した端末装置（マスター側）３０は、テスト識別信号を解析し、受信したパケットデータが折返しパケットデータＲＰＤであるか否かを確認する。折返しパケットデータＲＰＤであった場合、端末装置（マスター側）３０の制御回路３４は、事前にメモリ３５に格納してあったテストパケットデータＴＰＤと折返しパケットデータＲＰＤとを照合する。そして、照合結果を測定結果として、保守作業者が要求した場合に送信する。
【００３５】
なお、保守作業者が要求しない場合でも照合結果を測定結果として送信しても良い。
【００３６】
なお、テストパケットデータＴＰＤとテスト用ではないパケットデータを同時に保守作業者から光パケットネットワークに送信し、この光パケットネットワークにおいて処理することができる。
【００３７】
また、端末装置（マスター側）３０と端末装置（スレーブ側）４０ａ〜ｎにテストパケットの送受信部を設けることによって、保守を行うための大掛かりな測定システムを必要としないため、システム導入時、あるいは障害発生時のコストを削減できる。
【００３８】
外部にビット誤り測定装置を設置しないため、ビット誤り測定装置を外部に配置する場合に必要になっていたビット誤り測定装置とネットワーク間の配線が不要になり、また現場の光パケットネットワークシステムを管理担当者と、ビット誤り測定装置の管理担当者とのコミュニケーションが不要となる。
【００３９】
従って、光パケットネットワークシステムを構成する各端末装置にテストパケットの送受信部を設けることにより、問題の切分けを容易に行うことができる。
【００４０】
以上説明したように、本発明によれば、光パケットネットワークシステムを構成する各端末装置にテストパケットの送受信部を設けることにより、ネットワーク上で障害が発生した場合、コストを掛けずに保守作業者が迅速かつ容易に状況診断および適切な処置ができる光パケットネットワークシステムを実現できる。
【図面の簡単な説明】
【００４１】
【図１】本発明の一実施例を示す構成図である。
【図２】本発明のパケットデータの一例を示す図である。
【図３】従来のビット誤り測定装置の一例を示す構成図である。
【符号の説明】
【００４２】
１０  被測定システム
２０  測定システム
３０  端末装置（マスター側）
４０ａ〜ｎ  端末装置（スレーブ側）
５０  経路切替器
６０  光ファイバ
【図１】
2009296188.tif 000003
【図２】
2009296188.tif 000004
【図３】
2009296188.tif 000005